(57)【要約】物理上りリンク共有チャネルに用いられるサブフレームの開始送信タイミングを指示・特定するための方法、基地局及びユーザ装置を提供する。当該方法は、開始送信タイミングについての指示情報及びリッスンビフォートークＬＢＴタイプを備える下りリンク制御情報を基地局から受信するステップと、現サブフレームの１つ前のサブフレームの構成を特定するステップと、前記指示情報、前記ＬＢＴタイプ、及び前記１つ前のサブフレームの構成に基づいて、互いに異なる４つのタイミングのうちから前記現サブフレームの開始送信タイミングを特定するステップと、を含む。
2019528002.tif 000002
【特許請求の範囲】
【請求項１】
ユーザ装置において物理上りリンク共有チャネルに用いられるサブフレームの開始送信タイミングを特定するための方法であって、
開始送信タイミングについての指示情報、及びリッスンビフォートークＬＢＴタイプを備える下りリンク制御情報を基地局から受信するステップと、
現サブフレームの１つ前のサブフレームの構成を特定するステップと、
前記指示情報、前記ＬＢＴタイプ、及び前記１つ前のサブフレームの構成に基づいて、互いに異なる４つのタイミングのうちから前記現サブフレームの開始送信タイミングを特定するステップと、を含む方法。
【請求項２】
前記現サブフレームの１つ前のサブフレームの構成を特定するステップは、
前記１つ前のサブフレームにおいて前記ユーザ装置がスケジューリングされていない場合に、又は前記１つ前のサブフレームがブランクサブフレームである場合に、又は前記１つ前のサブフレームにおいて同じ上りリンクグラントで前記ユーザ装置がスケジューリングされる場合に、前記１つ前のサブフレームを完全な上りリンクサブフレームとして特定するステップを含む請求項１に記載の方法。
【請求項３】
前記指示情報は、第１シンボルと第０シンボルのうちの１つを示すことに用いられ、
又は、前記指示情報は、第１シンボルと非第１シンボルのうちの１つを示すことに用いられ、又は、前記指示情報は、第０シンボルと非第０シンボルのうちの１つを示すことに用いられる請求項１に記載の方法。
【請求項４】
前記指示情報は、第１シンボルと第０シンボルのうちの１つを示すことに用いられ、又は前記指示情報は、第１シンボルと非第１シンボルのうちの１つを示すことに用いられ、
前記ＬＢＴタイプは、第２タイプＬＢＴと第４タイプＬＢＴのうちの１つであり、
前記１つ前のサブフレームの構成は、完全な上りリンクサブフレーム、完全な下りリンク特殊サブフレーム、完全な下りリンクサブフレーム、最後のシンボルがブランクである上りリンクサブフレーム、最後のシンボルがブランクである下りリンク特殊サブフレーム、及び、最後のシンボルがブランクである下りリンクサブフレームのうちの１つであり、
前記現サブフレームの開始送信タイミングを特定するステップは、
前記指示情報が第１シンボルを示す場合に、前記開始送信タイミングが第１シンボルであると特定するステップと、
前記指示情報が第０シンボル又は非第１シンボルを示し、前記ＬＢＴタイプが第２タイプＬＢＴであり、かつ前記１つ前のサブフレームの構成が完全な上りリンクサブフレーム又は完全な下りリンク特殊サブフレームである場合に、前記開始送信タイミングが第０シンボルから所定値を経た後のタイミングであると特定するステップと、
前記指示情報が第０シンボル又は非第１シンボルを示し、前記ＬＢＴタイプが第２タイプＬＢＴであり、かつ前記１つ前のサブフレームの構成が完全な下りリンクサブフレームである場合に、前記開始送信タイミングが第０シンボルから所定値とタイミングアドバンス値を経た後のタイミングであると特定するステップと、
前記指示情報が第０シンボル又は非第１シンボルを示し、かつ前記１つ前のサブフレームの構成が最後のシンボルがブランクである上りリンクサブフレーム、最後のシンボルがブランクである下りリンク特殊サブフレーム、又は最後のシンボルがブランクである下りリンクサブフレームである場合に、前記開始送信タイミングが第０シンボルであると特定するステップと、
を含む請求項３に記載の方法。
【請求項５】
前記指示情報は、第０シンボルと非第０シンボルのうちの１つを示すことに用いられ、
前記ＬＢＴタイプは、第２タイプＬＢＴと第４タイプＬＢＴのうちの１つであり、
前記１つ前のサブフレームの構成は、完全な上りリンクサブフレーム、完全な下りリンク特殊サブフレーム、完全な下りリンクサブフレーム、最後のシンボルがブランクである上りリンクサブフレーム、最後のシンボルがブランクである下りリンク特殊サブフレーム、及び、最後のシンボルがブランクである下りリンクサブフレームのうちの１つであり、
前記現サブフレームの開始送信タイミングを特定するステップは、
前記指示情報が第０シンボルを示す場合に、前記開始送信タイミングが第０シンボルであると特定するステップと、
前記指示情報が非第０シンボルを示し、前記ＬＢＴタイプが第２タイプＬＢＴであり、かつ前記１つ前のサブフレームの構成が完全な上りリンクサブフレーム又は完全な下りリンク特殊サブフレームである場合に、前記開始送信タイミングが第０シンボルから所定値を経た後のタイミングであると特定するステップと、
前記指示情報が非第０シンボルを示し、前記ＬＢＴタイプが第２タイプＬＢＴであり、かつ前記１つ前のサブフレームの構成が完全な下りリンクサブフレームである場合に、前記開始送信タイミングが第０シンボルから所定値とタイミングアドバンス値を経た後のタイミングであると特定するステップと、
前記指示情報が非第０シンボルを示し、かつ前記ＬＢＴタイプが第４タイプＬＢＴである場合に、前記開始送信タイミングが第１シンボルであると特定するステップと、
を含む請求項３に記載の方法。
【請求項６】
物理上りリンク共有チャネルに用いられるサブフレームの開始送信タイミングを特定するためのユーザ装置であって、
開始送信タイミングについての指示情報、及びリッスンビフォートークＬＢＴタイプを備える下りリンク制御情報を基地局から受信するように構成される受信部と、
現サブフレームの１つ前のサブフレームの構成を特定するように構成されるサブフレーム構成特定部と、
前記指示情報、前記ＬＢＴタイプ、及び前記１つ前のサブフレームの構成に基づいて、互いに異なる４つのタイミングのうちから前記現サブフレームの開始送信タイミングを特定するように構成される送信タイミング特定部と、
を含むユーザ装置。
【請求項７】
前記サブフレーム構成特定部は、
前記１つ前のサブフレームにおいて前記ユーザ装置がスケジューリングされていない場合に、又は前記１つ前のサブフレームがブランクサブフレームである場合に、又は前記１つ前のサブフレームにおいて同じ上りリンクグラントで前記ユーザ装置がスケジューリングされる場合に、前記１つ前のサブフレームを、完全な上りリンクサブフレームとして特定するように構成される請求項６に記載のユーザ装置。
【請求項８】
前記指示情報は、第１シンボルと第０シンボルのうちの１つを示すことに用いられ、又は、前記指示情報は、第１シンボルと非第１シンボルのうちの１つを示すことに用いられ、又は、前記指示情報は、第０シンボルと非第０シンボルのうちの１つを示すことに用いられる請求項６に記載のユーザ装置。
【請求項９】
前記指示情報は、第１シンボルと第０シンボルのうちの１つを示すことに用いられ、又は前記指示情報は、第１シンボルと非第１シンボルのうちの１つを示すことに用いられ、
前記ＬＢＴタイプは、第２タイプＬＢＴと第４タイプＬＢＴのうちの１つであり、
前記１つ前のサブフレームの構成は、完全な上りリンクサブフレーム、完全な下りリンク特殊サブフレーム、完全な下りリンクサブフレーム、最後のシンボルがブランクである上りリンクサブフレーム、最後のシンボルがブランクである下りリンク特殊サブフレーム、及び、最後のシンボルがブランクである下りリンクサブフレームのうちの１つであり、
前記送信タイミング特定部は、
前記指示情報が第１シンボルを示す場合に、前記開始送信タイミングが第１シンボルであると特定し、
前記指示情報が第０シンボル又は非第１シンボルを示し、前記ＬＢＴタイプが第２タイプＬＢＴであり、かつ前記１つ前のサブフレームの構成が完全な上りリンクサブフレーム又は完全な下りリンク特殊サブフレームである場合に、前記開始送信タイミングが第０シンボルから所定値を経た後のタイミングであると特定し、
前記指示情報が第０シンボル又は非第１シンボルを示し、前記ＬＢＴタイプが第２タイプＬＢＴであり、かつ前記１つ前のサブフレームの構成が完全な下りリンクサブフレームである場合に、前記開始送信タイミングが第０シンボルから所定値とタイミングアドバンス値を経た後のタイミングであると特定し、
前記指示情報が第０シンボル又は非第１シンボルを示し、かつ前記１つ前のサブフレームの構成が最後のシンボルがブランクである上りリンクサブフレーム、最後のシンボルがブランクである下りリンク特殊サブフレーム又は最後のシンボルがブランクである下りリンクサブフレームである場合に、前記開始送信タイミングが第０シンボルであると特定するように構成される請求項８に記載のユーザ装置。
【請求項１０】
前記指示情報は、第０シンボルと非第０シンボルのうちの１つを示すことに用いられ、
前記ＬＢＴタイプは、第２タイプＬＢＴと第４タイプＬＢＴのうちの１つであり、
前記１つ前のサブフレームの構成は、完全な上りリンクサブフレーム、完全な下りリンク特殊サブフレーム、完全な下りリンクサブフレーム、最後のシンボルがブランクである上りリンクサブフレーム、最後のシンボルがブランクである下りリンク特殊サブフレーム、及び、最後のシンボルがブランクである下りリンクサブフレームのうちの１つであり、
前記送信タイミング特定部は、
前記指示情報が第０シンボルを示す場合に、前記開始送信タイミングが第０シンボルであると特定し、
前記指示情報が非第０シンボルを示し、前記ＬＢＴタイプが第２タイプＬＢＴであり、かつ前記１つ前のサブフレームの構成が完全な上りリンクサブフレーム又は完全な下りリンク特殊サブフレームである場合に、前記開始送信タイミングが第０シンボルから所定値を経た後のタイミングであると特定し、
前記指示情報が非第０シンボルを示し、前記ＬＢＴタイプが第２タイプＬＢＴであり、かつ前記１つ前のサブフレームの構成が完全な下りリンクサブフレームである場合に、前記開始送信タイミングが第０シンボルから所定値とタイミングアドバンス値を経た後のタイミングであると特定し、
前記指示情報が非第０シンボルを示し、かつ前記ＬＢＴタイプが第４タイプＬＢＴである場合に、前記開始送信タイミングが第１シンボルであると特定するように構成される請求項８に記載のユーザ装置。
【請求項１１】
ユーザ装置において物理上りリンク共有チャネルに用いられるサブフレームの開始送信タイミングを特定するための方法であって、
開始送信タイミングに用いられる、少なくとも２ビットを含む第１指示情報を備える下りリンク制御情報を基地局から受信するステップと、
マルチサブフレームスケジューリングを行っており、かつ開始送信タイミングに用いられる第２指示情報が更に前記下りリンク制御情報に含まれる場合において、前記現サブフレームの開始送信タイミングが第１タイミングでないと前記第２指示情報が指示する場合に、第１指示情報に基づいて、前記第１タイミングと異なる第２タイミング、第３タイミング及び第４タイミングのうちから、前記現サブフレームの開始送信タイミングを特定するステップと、
を含む方法。
【請求項１２】
前記第１タイミングは第１シンボルであり、前記第２タイミング、前記第３タイミング及び前記第４タイミングはそれぞれ、第０シンボル、第０シンボルから所定値を経た後のタイミング、及び第０シンボルから前記所定値とタイミングアドバンス値を経た後のタイミングのうちの１つであり、又は、前記第１タイミングは第０シンボルであり、前記第２タイミング、前記第３タイミング及び前記第４タイミングはそれぞれ、第１シンボル、第０シンボルから所定値を経た後のタイミング、及び第０シンボルから前記所定値とタイミングアドバンス値を経た後のタイミングのうちの１つである請求項１１に記載の方法。
【請求項１３】
物理上りリンク共有チャネルに用いられるサブフレームの開始送信タイミングを特定するためのユーザ装置であって、
開始送信タイミングに用いられる、少なくとも２ビットを含む第１指示情報を備える下りリンク制御情報を基地局から受信するように構成される受信部と、
マルチサブフレームスケジューリングを行っており、かつ開始送信タイミングに用いられる第２指示情報が更に前記下りリンク制御情報に含まれる場合において、前記現サブフレームの開始送信タイミングが第１タイミングでないと前記第２指示情報が指示する場合に、第１指示情報に基づいて、前記第１タイミングと異なる第２タイミング、第３タイミング及び第４タイミングのうちから、前記現サブフレームの開始送信タイミングを特定するように構成される送信タイミング特定部と、
を含むユーザ装置。
【請求項１４】
前記第１タイミングは、第１シンボルであり、前記第２タイミング、前記第３タイミング及び前記第４タイミングはそれぞれ、第０シンボル、第０シンボルから所定値を経た後のタイミング、及び第０シンボルから前記所定値とタイミングアドバンス値を経た後のタイミングのうちの１つであり、又は、前記第１タイミングは第０シンボルであり、前記第２タイミング、前記第３タイミング及び前記第４タイミングはそれぞれ、第１シンボル、第０シンボルから所定値を経た後のタイミング、及び第０シンボルから前記所定値とタイミングアドバンス値を経た後のタイミングのうちの１つである請求項１３に記載のユーザ装置。
【請求項１５】
基地局において物理上りリンク共有チャネルに用いられるサブフレームの開始送信タイミングを指示するための方法であって、
開始送信タイミングに用いられる、少なくとも２ビットを含む第１指示情報を備える下りリンク制御情報を生成するステップと、
前記下りリンク制御情報をユーザ装置に送信するステップと、を含み、
前記第１指示情報は、マルチサブフレームスケジューリングを行っており、かつ開始送信タイミングに用いられる第２指示情報が更に前記下りリンク制御情報に含まれる場合において、前記ユーザ装置の現サブフレームの開始送信タイミングが第１タイミングでないと第２指示情報が指示する場合に、前記第１タイミングと異なる第２タイミング、第３タイミング及び第４タイミングのうちから、前記現サブフレームの開始送信タイミングを指示することに用いられ、或いは、前記第１指示情報は、単一サブフレームスケジューリングを行っている場合に、又はマルチサブフレームスケジューリングを行っており、かつ前記第２指示情報が前記下りリンク制御情報に含まれていない場合に、前記第１タイミング、前記第２タイミング、前記第３タイミング及び前記第４タイミングのうちから、前記現サブフレームの開始送信タイミングを指示することに用いられる方法。
【請求項１６】
物理上りリンク共有チャネルに用いられるサブフレームの開始送信タイミングを指示するための基地局であって、
開始送信タイミングに用いられる、少なくとも２ビットを含む第１指示情報を備える下りリンク制御情報を生成するように構成される生成部と、
前記下りリンク制御情報をユーザ装置に送信するように構成される送信部と、を含み、
前記第１指示情報は、マルチサブフレームスケジューリングを行っており、かつ開始送信タイミングに用いられる第２指示情報が更に前記下りリンク制御情報に含まれる場合において、前記ユーザ装置の現サブフレームの開始送信タイミングが第１タイミングでないと第２指示情報が指示する場合に、前記第１タイミングと異なる第２タイミング、第３タイミング及び第４タイミングのうちから、前記現サブフレームの開始送信タイミングを指示することに用いられ、或いは、前記第１指示情報は、単一サブフレームスケジューリングを行っている場合に、又はマルチサブフレームスケジューリングを行っており、かつ前記第２指示情報が前記下りリンク制御情報に含まれていない場合に、前記第１タイミング、前記第２タイミング、前記第３タイミング及び前記第４タイミングのうちから、前記現サブフレームの開始送信タイミングを指示することに用いられる基地局。
【発明の詳細な説明】
【技術分野】
【０００１】
本開示は、移動通信分野に関し、より具体的には、ユーザ装置において物理上りリンク共有チャネルに用いられるサブフレームの開始送信タイミングを特定するための方法、基地局において物理上りリンク共有チャネルに用いられるサブフレームの開始送信タイミングを指示するための方法、基地局、及びユーザ装置に関する。
【背景技術】
【０００２】
近年のアンライセンスバンド伝送技術研究において、物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）伝送の開始送信タイミングは、議論となっている。
【０００３】
現在の第３世代パートナーシッププロジェクト（Ｔｈｉｒｄ  Ｇｅｎｅｒａｔｉｏｎ  Ｐａｒｔｎｅｒｓｈｉｐ  Ｐｒｏｊｅｃｔ、３ＧＰＰ）の協定において、ＰＵＳＣＨ開始送信タイミングに用いられる指示シグナリングは、上りリンクサブフレームにおけるＰＵＳＣＨ送信が第０シンボルから開始するか、それとも第１シンボルから開始するかを指示するための１ビットのみを有する。
【発明の概要】
【発明が解決しようとする課題】
【０００４】
しかし、実際には、現在に協定された実際のＰＵＳＣＨ伝送の開始送信タイミングには、第０シンボル、第１シンボル、第０シンボルから２５μｓを経た後のタイミング、及び第０シンボルから２５μｓ及びタイミングアドバンス（Ｔｉｍｉｎｇ  Ａｄｖａｎｃｅ、ＴＡ）値を経た後のタイミングという４つの可能なタイミングを含む。
【０００５】
そのため、ＰＵＳＣＨ開始送信タイミングに用いられる指示シグナリングでは、実際のＰＵＳＣＨ伝送の開始送信タイミングの全ての可能性を指示できないという問題は、単一フレームスケジューリングにも、マルチフレームスケジューリングにも存在する。
【課題を解決するための手段】
【０００６】
本開示に係る一実施例は、ユーザ装置において物理上りリンク共有チャネルに用いられるサブフレームの開始送信タイミングを特定するための方法を提供する。当該方法は、開始送信タイミングについての指示情報及びリッスンビフォートークＬＢＴタイプを備える下りリンク制御情報を基地局から受信するステップと、現サブフレームの１つ前のサブフレームの構成を特定するステップと、前記指示情報、前記ＬＢＴタイプ、及び前記１つ前のサブフレームの構成に基づいて、互いに異なる４つのタイミングのうちから前記現サブフレームの開始送信タイミングを特定するステップと、を含む。
【０００７】
当該実施例に係る方法において、前記現サブフレームの１つ前のサブフレームの構成を特定するステップは、前記１つ前のサブフレームにおいて前記ユーザ装置がスケジューリングされていない場合に、又は前記１つ前のサブフレームがブランクサブフレームである場合に、又は前記１つ前のサブフレームにおいて同じ上りリンクグラントで前記ユーザ装置がスケジューリングされる場合に、前記１つ前のサブフレームを完全な上りリンクサブフレームとして特定するステップを含む。
【０００８】
当該実施例に係る方法において、前記指示情報は、第１シンボルと第０シンボルのうちの１つを示すことに用いられ、又は、前記指示情報は、第１シンボルと非第１シンボルのうちの１つを示すことに用いられ、又は、前記指示情報は、第０シンボルと非第０シンボルのうちの１つを示すことに用いられる。
【０００９】
当該実施例に係る方法において、前記指示情報は、第１シンボルと第０シンボルのうちの１つを示すことに用いられ、又は、前記指示情報は、第１シンボルと非第１シンボルのうちの１つを示すことに用いられ、前記ＬＢＴタイプは、第２タイプＬＢＴと第４タイプＬＢＴのうちの１つであり、前記１つ前のサブフレームの構成は、完全な上りリンクサブフレーム、完全な下りリンク特殊サブフレーム、完全な下りリンクサブフレーム、最後のシンボルがブランクである上りリンクサブフレーム、最後のシンボルがブランクである下りリンク特殊サブフレーム、及び、最後のシンボルがブランクである下りリンクサブフレームのうちの１つであり、前記現サブフレームの開始送信タイミングを特定するステップは、前記指示情報が第１シンボルを示す場合に、前記開始送信タイミングが第１シンボルであると特定するステップと、前記指示情報が第０シンボル又は非第１シンボルを示し、前記ＬＢＴタイプが第２タイプＬＢＴであり、かつ前記１つ前のサブフレームの構成が完全な上りリンクサブフレーム又は完全な下りリンク特殊サブフレームである場合に、前記開始送信タイミングが第０シンボルから所定値を経た後のタイミングであると特定するステップと、前記指示情報が第０シンボル又は非第１シンボルを示し、前記ＬＢＴタイプが第２タイプＬＢＴであり、かつ前記１つ前のサブフレームの構成が完全な下りリンクサブフレームである場合に、前記開始送信タイミングが第０シンボルから所定値とタイミングアドバンス値を経た後のタイミングであると特定するステップと、前記指示情報が第０シンボル又は非第１シンボルを示し、かつ前記１つ前のサブフレームの構成が最後のシンボルがブランクである上りリンクサブフレーム、最後のシンボルがブランクである下りリンク特殊サブフレーム、又は最後のシンボルがブランクである下りリンクサブフレームである場合に、前記開始送信タイミングが第０シンボルであると特定するステップと、を含む。
【００１０】
当該実施例に係る方法において、前記指示情報は、第０シンボルと非第０シンボルのうちの１つを示すことに用いられ、前記ＬＢＴタイプは、第２タイプＬＢＴと第４タイプＬＢＴのうちの１つであり、前記１つ前のサブフレームの構成は、完全な上りリンクサブフレーム、完全な下りリンク特殊サブフレーム、完全な下りリンクサブフレーム、最後のシンボルがブランクである上りリンクサブフレーム、最後のシンボルがブランクである下りリンク特殊サブフレーム、及び、最後のシンボルがブランクである下りリンクサブフレームのうちの１つであり、前記現サブフレームの開始送信タイミングを特定するステップは、前記指示情報が第０シンボルを示す場合に、前記開始送信タイミングが第０シンボルであると特定するステップと、前記指示情報が非第０シンボルを示し、前記ＬＢＴタイプが第２タイプＬＢＴであり、かつ前記１つ前のサブフレームの構成が完全な上りリンクサブフレーム又は完全な下りリンク特殊サブフレームである場合に、前記開始送信タイミングが第０シンボルから所定値を経た後のタイミングであると特定するステップと、前記指示情報が非第０シンボルを示し、前記ＬＢＴタイプが第２タイプＬＢＴであり、かつ前記１つ前のサブフレームの構成が完全な下りリンクサブフレームである場合に、前記開始送信タイミングが第０シンボルから所定値とタイミングアドバンス値を経た後のタイミングであると特定するステップと、前記指示情報が非第０シンボルを示し、かつ前記ＬＢＴタイプが第４タイプＬＢＴである場合に、前記開始送信タイミングが第１シンボルであると特定するステップと、を含む。
【００１１】
本開示に係る他の実施例は、物理上りリンク共有チャネルに用いられるサブフレームの開始送信タイミングを特定するためのユーザ装置を提供する。当該ユーザ装置は、開始送信タイミングについての指示情報及びリッスンビフォートークＬＢＴタイプを備える下りリンク制御情報を基地局から受信するように構成される受信部と、現サブフレームの１つ前のサブフレームの構成を特定するように構成されるサブフレーム構成特定部と、前記指示情報、前記ＬＢＴタイプ、及び前記１つ前のサブフレームの構成に基づいて、互いに異なる４つのタイミングのうちから前記現サブフレームの開始送信タイミングを特定するように構成される送信タイミング特定部と、を含む。
【００１２】
当該実施例に係るユーザ装置において、前記サブフレーム構成特定部は、前記１つ前のサブフレームにおいて前記ユーザ装置がスケジューリングされていない場合に、又は前記１つ前のサブフレームがブランクサブフレームである場合に、又は前記１つ前のサブフレームにおいて同じ上りリンクグラントで前記ユーザ装置がスケジューリングされる場合に、前記１つ前のサブフレームを、完全な上りリンクサブフレームとして特定するように構成される。
【００１３】
当該実施例に係るユーザ装置において、前記指示情報は、第１シンボルと第０シンボルのうちの１つを示すことに用いられ、又は、前記指示情報は、第１シンボルと非第１シンボルのうちの１つを示すことに用いられ、又は、前記指示情報は、第０シンボルと非第０シンボルのうちの１つを示すことに用いられる。
【００１４】
当該実施例に係るユーザ装置において、前記指示情報は、第１シンボルと第０シンボルのうちの１つを示すことに用いられ、又は前記指示情報は、第１シンボルと非第１シンボルのうちの１つを示すことに用いられ、前記ＬＢＴタイプは、第２タイプＬＢＴと第４タイプＬＢＴのうちの１つであり、前記１つ前のサブフレームの構成は、完全な上りリンクサブフレーム、完全な下りリンク特殊サブフレーム、完全な下りリンクサブフレーム、最後のシンボルがブランクである上りリンクサブフレーム、最後のシンボルがブランクである下りリンク特殊サブフレーム、及び、最後のシンボルがブランクである下りリンクサブフレームのうちの１つであり、前記送信タイミング特定部は、前記指示情報が第１シンボルを示す場合に、前記開始送信タイミングが第１シンボルであると特定し、前記指示情報が第０シンボル又は非第１シンボルを示し、前記ＬＢＴタイプが第２タイプＬＢＴであり、かつ前記１つ前のサブフレームの構成が完全な上りリンクサブフレーム又は完全な下りリンク特殊サブフレームである場合に、前記開始送信タイミングが第０シンボルから所定値を経た後のタイミングであると特定し、前記指示情報が第０シンボル又は非第１シンボルを示し、前記ＬＢＴタイプが第２タイプＬＢＴであり、かつ前記１つ前のサブフレームの構成が完全な下りリンクサブフレームである場合に、前記開始送信タイミングが第０シンボルから所定値とタイミングアドバンス値を経た後のタイミングであると特定し、前記指示情報が第０シンボル又は非第１シンボルを示し、かつ前記１つ前のサブフレームの構成が最後のシンボルがブランクである上りリンクサブフレーム、最後のシンボルがブランクである下りリンク特殊サブフレーム又は最後のシンボルがブランクである下りリンクサブフレームである場合に、前記開始送信タイミングが第０シンボルであると特定するように構成される。
【００１５】
当該実施例に係るユーザ装置において、前記指示情報は、第０シンボルと非第０シンボルのうちの１つを示すことに用いられ、前記ＬＢＴタイプは、第２タイプＬＢＴと第４タイプＬＢＴのうちの１つであり、前記１つ前のサブフレームの構成は、完全な上りリンクサブフレーム、完全な下りリンク特殊サブフレーム、完全な下りリンクサブフレーム、最後のシンボルがブランクである上りリンクサブフレーム、最後のシンボルがブランクである下りリンク特殊サブフレーム、及び、最後のシンボルがブランクである下りリンクサブフレームのうちの１つであり、前記送信タイミング特定部は、前記指示情報が第０シンボルを示す場合に、前記開始送信タイミングが第０シンボルであると特定し、前記指示情報が非第０シンボルを示し、前記ＬＢＴタイプが第２タイプＬＢＴであり、かつ前記１つ前のサブフレームの構成が完全な上りリンクサブフレーム又は完全な下りリンク特殊サブフレームである場合に、前記開始送信タイミングが第０シンボルから所定値を経た後のタイミングであると特定し、前記指示情報が非第０シンボルを示し、前記ＬＢＴタイプが第２タイプＬＢＴであり、かつ前記１つ前のサブフレームの構成が完全な下りリンクサブフレームである場合に、前記開始送信タイミングが第０シンボルから所定値とタイミングアドバンス値を経た後のタイミングであると特定し、前記指示情報が非第０シンボルを示し、かつ前記ＬＢＴタイプが第４タイプＬＢＴである場合に、前記開始送信タイミングが第１シンボルであると特定するように構成される。
【００１６】
本開示に係る他の実施例は、ユーザ装置において物理上りリンク共有チャネルに用いられるサブフレームの開始送信タイミングを特定するための方法を提供する。当該方法は、開始送信タイミングに用いられる、少なくとも２ビットを含む第１指示情報を備える下りリンク制御情報を基地局から受信するステップと、マルチサブフレームスケジューリングを行っており、かつ開始送信タイミングに用いられる第２指示情報が更に前記下りリンク制御情報に含まれる場合において、前記現サブフレームの開始送信タイミングが第１タイミングでないと前記第２指示情報が指示する場合に、第１指示情報に基づいて、前記第１タイミングと異なる第２タイミング、第３タイミング及び第４タイミングのうちから、前記現サブフレームの開始送信タイミングを特定するステップと、を含む。
【００１７】
当該実施例に係る方法において、前記第１タイミングは第１シンボルであり、前記第２タイミング、前記第３タイミング及び前記第４タイミングはそれぞれ、第０シンボル、第０シンボルから所定値を経た後のタイミング、及び第０シンボルから前記所定値とタイミングアドバンス値を経た後のタイミングのうちの１つであり、又は、前記第１タイミングは第０シンボルであり、前記第２タイミング、前記第３タイミング及び前記第４タイミングはそれぞれ、第１シンボル、第０シンボルから所定値を経た後のタイミング、及び第０シンボルから前記所定値とタイミングアドバンス値を経た後のタイミングのうちの１つである。
【００１８】
本開示に係る他の実施例は、物理上りリンク共有チャネルに用いられるサブフレームの開始送信タイミングを特定するためのユーザ装置を提供する。当該ユーザ装置は、開始送信タイミングに用いられる、少なくとも２ビットを含む第１指示情報を備える下りリンク制御情報を基地局から受信するように構成される受信部と、マルチサブフレームスケジューリングを行っており、かつ開始送信タイミングに用いられる第２指示情報が更に前記下りリンク制御情報に含まれる場合において、前記現サブフレームの開始送信タイミングが第１タイミングでないと前記第２指示情報が指示する場合に、第１指示情報に基づいて、前記第１タイミングと異なる第２タイミング、第３タイミング及び第４タイミングのうちから、前記現サブフレームの開始送信タイミングを特定するように構成される送信タイミング特定部と、を含む。
【００１９】
当該実施例に係るユーザ装置において、前記第１タイミングは、第１シンボルであり、前記第２タイミング、前記第３タイミング及び前記第４タイミングはそれぞれ、第０シンボル、第０シンボルから所定値を経た後のタイミング、及び第０シンボルから前記所定値とタイミングアドバンス値を経た後のタイミングのうちの１つであり、又は、前記第１タイミングは第０シンボルであり、前記第２タイミング、前記第３タイミング及び前記第４タイミングはそれぞれ、第１シンボル、第０シンボルから所定値を経た後のタイミング、及び第０シンボルから前記所定値とタイミングアドバンス値を経た後のタイミングのうちの１つである。
【００２０】
本開示に係る他の実施例は、基地局において物理上りリンク共有チャネルに用いられるサブフレームの開始送信タイミングを指示するための方法を提供する。当該方法は、開始送信タイミングに用いられる、少なくとも２ビットを含む第１指示情報を備える下りリンク制御情報を生成するステップと、前記下りリンク制御情報をユーザ装置に送信するステップとを含み、前記第１指示情報は、マルチサブフレームスケジューリングを行っており、かつ開始送信タイミングに用いられる第２指示情報が更に前記下りリンク制御情報に含まれる場合において、前記ユーザ装置の現サブフレームの開始送信タイミングが第１タイミングでないと第２指示情報が指示する場合に、前記第１タイミングと異なる第２タイミング、第３タイミング及び第４タイミングのうちから、前記現サブフレームの開始送信タイミングを指示することに用いられ、或いは、前記第１指示情報は、単一サブフレームスケジューリングを行っている場合に、又はマルチサブフレームスケジューリングを行っており、かつ前記第２指示情報が前記下りリンク制御情報に含まれていない場合に、前記第１タイミング、前記第２タイミング、前記第３タイミング及び前記第４タイミングのうちから、前記現サブフレームの開始送信タイミングを指示することに用いられる。
【００２１】
本開示に係る他の実施例は、物理上りリンク共有チャネルに用いられるサブフレームの開始送信タイミングを指示するための基地局を提供する。当該基地局は、開始送信タイミングに用いられる、少なくとも２ビットを含む第１指示情報を備える下りリンク制御情報を生成するように構成される生成部と、前記下りリンク制御情報をユーザ装置に送信するように構成される送信部とを含み、前記第１指示情報は、マルチサブフレームスケジューリングを行っており、かつ開始送信タイミングに用いられる第２指示情報が更に前記下りリンク制御情報に含まれる場合において、前記ユーザ装置の現サブフレームの開始送信タイミングが第１タイミングでないと第２指示情報が指示する場合に、前記第１タイミングと異なる第２タイミング、第３タイミング及び第４タイミングのうちから、前記現サブフレームの開始送信タイミングを指示することに用いられ、或いは、前記第１指示情報は、単一サブフレームスケジューリングを行っている場合に、又はマルチサブフレームスケジューリングを行っており、かつ前記第２指示情報が前記下りリンク制御情報に含まれていない場合に、前記第１タイミング、前記第２タイミング、前記第３タイミング及び前記第４タイミングのうちから、前記現サブフレームの開始送信タイミングを指示することに用いられる。
【発明の効果】
【００２２】
本開示の実施例に係るサブフレームの開始送信タイミングを特定・指示するための方法、ユーザ装置及び基地局において、２つよりも多くの送信タイミングのうちから、現サブフレームの開始送信タイミングを特定することができる。
【図面の簡単な説明】
【００２３】
本発明の上記及びその他の目的、特徴、メリットは、図面を併せて本開示の実施例をより詳しく説明することにより、より明らかになるであろう。図面は、本開示の実施例に対する更なる理解を提供しており、明細書の一部分となり、本開示の実施例と共に本開示を解釈するためのものであり、本開示を限定するものでない。図面において、同一の参照記号は、常に同一の部材又はステップを示す。
【図１】本開示の実施例に係るサブフレームの開始送信タイミングを指示・特定する方法が適用されるシステムを示す図である。
【図２】本開示の第１実施例に係るサブフレームの開始送信タイミングを特定する方法の主要ステップを示すフローチャートである。
【図３Ａ】本開示の第１実施例に係るサブフレームの開始送信タイミングを特定する方法が適用されるサブフレームを示す図である。
【図３Ｂ】本開示の第１実施例に係るサブフレームの開始送信タイミングを特定する方法が適用されるサブフレームを示す図である。
【図３Ｃ】本開示の第１実施例に係るサブフレームの開始送信タイミングを特定する方法が適用されるサブフレームを示す図である。
【図３Ｄ】本開示の第１実施例に係るサブフレームの開始送信タイミングを特定する方法が適用されるサブフレームを示す図である。
【図３Ｅ】本開示の第１実施例に係るサブフレームの開始送信タイミングを特定する方法が適用されるサブフレームを示す図である。
【図３Ｆ】本開示の第１実施例に係るサブフレームの開始送信タイミングを特定する方法が適用されるサブフレームを示す図である。
【図３Ｇ】本開示の第１実施例に係るサブフレームの開始送信タイミングを特定する方法が適用されるサブフレームを示す図である。
【図３Ｈ】本開示の第１実施例に係るサブフレームの開始送信タイミングを特定する方法が適用されるサブフレームを示す図である。
【図４】本開示の第１実施例に係るユーザ装置の主要設定を示すブロック図である。
【図５】本開示の第２実施例に係るサブフレームの開始送信タイミングを特定する方法の主要ステップを示すフローチャートである。
【図６】本開示の第２実施例に係るユーザ装置の主要設定を示すブロック図である。
【図７】本開示の第２実施例に係るサブフレームの開始送信タイミングを指示する方法の主要ステップを示すフローチャートである。
【図８】本開示の第２実施例に係る基地局の主要設定を示すブロック図である。
【発明を実施するための形態】
【００２４】
本開示の目的、技術案及びメリットをより明確にするために、以下、図面を参照しながら、本開示の例示的な実施例を詳しく説明する。勿論、ここで記載された実施例は、ただ本開示の実施例の一部だけであり、本開示の全ての実施例ではない。本発明は、ここで記載された例示的な実施例に限定されないことは理解されるであろう。本開示で記載された本開示の実施例に基づき、当業者が創造的な活動をしない前提で得られる他の実施例は全て本開示の保護範囲に含まれる。
【００２５】
図１は、本開示の実施例に係るサブフレームの開始送信タイミングを指示・特定する方法が適用されるシステムを示す図である。図１に示すように、当該システムは、基地局１０とユーザ装置２０を含み、例えば、アンライセンスバンド伝送のシナリオに適用され得る。図１に示すシステムにおいて、基地局１０は、ユーザ装置２０に対して、下りリンク制御情報を送信する。ユーザ装置２０は、当該下りリンク制御情報を受信して検出することで、下りリンク制御情報における指示情報に基づいてＰＵＳＣＨ伝送を実行する。
【００２６】
具体的には、一方、ユーザ装置２０は、互いに異なる４つのタイミングにおいてＰＵＳＣＨ伝送を行うことができる。前記４つのタイミングは、例えば、それぞれ第０シンボル、第１シンボル、第０シンボルから所定値（例えば、２５μｓ）を経た後のタイミング、及び第０シンボルから前記所定値とＴＡ値（例えば、２５μｓ＋ＴＡ値）を経た後のタイミングである。
【００２７】
他方、単一サブフレームスケジューリングの場合であっても、マルチサブフレームスケジューリングの場合であっても、現在の指示情報は、互いに異なる２つのタイミングしか指示できない。
【００２８】
具体的には、単一サブフレームスケジューリングの場合に、前記指示情報は、第０シンボルと第１シンボルのうちの１つしか指示することができない。マルチサブフレームスケジューリングの場合に、開始送信タイミングが複数のスケジューリングされたサブフレームのうちの最初にスケジューリングされたサブフレームのみに適用する第１オプション、及び、開始送信タイミングが複数のスケジューリングされたサブフレームのうちの１つ又は複数のスケジューリングされたサブフレームに適用する第２オプションがある。さらに、前記第２オプションは、２ビットでジョイント指示する第１サブオプション、ビットマップを採用する第２サブオプション、又は１＋ｘビットで指示する第３サブオプションを含むことができる。前記指示情報が上記第１オプションに適用される場合に、第０シンボルと第１シンボルのうちの１つしか指示することができない。前記指示情報が上記第２オプションのうちのサブオプションのいずれかに適用される場合に、第０シンボルと非第０シンボルのうちの１つ、又は第１シンボルと非第１シンボルのうちの１つしか指示することができない。
【００２９】
よって、前記指示情報に基づいてＰＵＳＣＨ伝送に用いられるサブフレームの実際の開始送信タイミングを特定できるように、発明者は、本開示の実施例に係る物理上りリンク共有チャネルに用いられるサブフレームの開始送信タイミングを特定・指示するための方法、基地局及びユーザ装置を設計した。
【００３０】
以下、まずは図２を参照しながら、本開示の第１実施例に係るユーザ装置において物理上りリンク共有チャネルに用いられるサブフレームの開始送信タイミングを特定するための方法を詳しく説明する。
【００３１】
まず、ステップＳ２１０において、前記ユーザ装置は、基地局から下りリンク制御情報を受信する。具体的には、前記下りリンク制御情報は、開始送信タイミングについての指示情報、及びリッスンビフォートークＬＢＴタイプを備えることができる。
【００３２】
続いて、ステップＳ２２０において、現サブフレームの直前のサブフレームの構成を特定する。
【００３３】
具体的には、現サブフレームの直前のサブフレームは、上りリンクサブフレーム、下りリンクサブフレーム及び下りリンク特殊サブフレームのうちの１つであってもよい。より具体的には、前記上りリンクサブフレームは、完全な上りリンクサブフレームと最後のシンボルがブランクである上りリンクサブフレームに分けることができる。前記下りリンクサブフレームは、完全な下りリンクサブフレームと最後のシンボルがブランクである下りリンクサブフレームに分けることができる。前記下りリンク特殊サブフレームは、完全な下りリンク特殊サブフレームと最後のシンボルがブランクである下りリンク特殊サブフレームに分けることができる。
【００３４】
一実施例において、ユーザ装置は、下りリンク制御情報（例えば、共通下りリンクの下りリンク制御情報）を通じて、１つ前のサブフレームが下りリンクサブフレームであるか否かを検出することができる。また、ユーザ装置はさらに、前記下りリンク制御情報を通じて、前記１つ前のサブフレームが完全な下りリンクサブフレーム、完全な下りリンク特殊サブフレーム、最後のシンボルがブランクである下りリンクサブフレーム、最後のシンボルがブランクである下りリンク特殊サブフレームのうちの何れかについて検出することができる。
【００３５】
また、前記１つ前のサブフレームが上りリンクサブフレームであると検出されると、１つ前のＵＬサブフレームにおいて当該ユーザ装置がスケジューリングされた場合に、当該ユーザ装置は、１つ前のサブフレームの構成を検出することができる。
【００３６】
より具体的には、１つ前の上りリンクサブフレームにおいて異なる上りリンクグラントを通じて当該ユーザ装置がスケジューリングされる場合に、ユーザ装置は、上りリンクに対する下りリンク制御情報における指示に基づいて、１つ前の上りリンクサブフレームが完全な上りリンクサブフレームであるか、それとも最後のシンボルがブランクである上りリンクサブフレームであるかを特定することができる。
【００３７】
他方、第１の例において、前記１つ前のサブフレームにおいて前記ユーザ装置がスケジューリングされていない場合に、例えば、前記１つ前のサブフレームにおいて他のユーザ装置がスケジューリングされた場合に、ユーザ装置は、１つ前のサブフレームの構成を知ることができない。かかる場合、ユーザ装置と基地局との間のズレを回避するために、本開示の実施例において、前記１つ前のサブフレームを、完全な上りリンクサブフレームとして特定する。
【００３８】
第２の例において、前記１つ前のサブフレームがブランクサブフレームである場合に、同じように、ズレを回避するために、本開示の実施例において、前記１つ前のサブフレームを、完全な上りリンクサブフレームとして特定する。
【００３９】
第３の例において、マルチサブフレームスケジューリングの場合において、前記１つ前のサブフレームにおいて下りリンク制御情報（例えば、下りリンク制御情報０Ｂ／４Ｂフォーマット）が同じ上りリンクグラントで前記ユーザ装置をスケジューリングする場合に、同じように、ズレを回避するために、本開示において、前記１つ前のサブフレームを、完全な上りリンクサブフレームとして特定する。
【００４０】
なお、以上の記載はただの例に過ぎない。当業者は、設計の必要に応じて上記の例を適宜に組み合わせることができる。
【００４１】
なお、ユーザ装置と基地局との間に同じ理解があれば、当業者は、現サブフレームの１つ前のサブフレームの構成を特定するように、これに基づいて他の設計を行ってもよい。
【００４２】
次いで、ステップＳ２３０において、前記指示情報、前記ＬＢＴタイプ、及び前記１つ前のサブフレームの構成に基づいて、互いに異なる４つのタイミングのうちから、前記現サブフレームの開始送信タイミングを特定する。
【００４３】
具体的には、前記指示情報は、例えば、開始ＯＦＤＭシンボルを指示する。より具体的には、前記指示情報は、例えば、開始ＰＵＳＣＨ  ＤＦＴ−Ｓ−ＯＦＤＭシンボルを指示することができる。前記ＬＢＴタイプは、例えば、第２タイプＬＢＴと第４タイプＬＢＴのうちの１つであってもよい。前記第２タイプＬＢＴは、例えば、２５μｓにリッスンするＬＢＴタイプを指す。前記第４タイプＬＢＴは、例えば、サイズ変更可能なコンテンションウィンドウのランダムバックホールに基づくＬＢＴタイプを指す。前記互いに異なる４つのタイミングは、例えば、第０シンボル、第０シンボルから所定値を経た後のタイミング、第０シンボルから所定値とＴＡ値を経た後のタイミング及び第１シンボルであってもよい。前記所定値は、例えば、２５μｓなどであってもよい。また、前記指示情報は、例えば、１ビット情報又は少なくとも２ビット情報であってもよい。
【００４４】
第１の場合において、前記指示情報は、１ビットの情報を備える。具体的には、一例において、前記指示情報は、単一サブフレームスケジューリングの場合に適用され、第１シンボルと第０シンボルのうちの１つを示すことに用いられる。他の例において、前記指示情報は、マルチサブフレームスケジューリングの場合に適用され、第１シンボルと非第１シンボルのうちの１つを示すことに用いられる。もう１つの例において、前記指示情報は、マルチサブフレームスケジューリングの場合に適用され、第０シンボルと非第０シンボルのうちの１つを示すことに用いられる。以下、各例における開始送信タイミングの特定をそれぞれ説明する。
【００４５】
まず、単一サブフレームスケジューリングの場合について説明する。かかる場合、上述したように、前記指示情報は、例えば、第１シンボルと第０シンボルのうちの１つを示すことに用いられる。よって、互いに異なる４つのタイミングのうちから前記現サブフレームの開始送信タイミングを特定するために、ユーザ装置は、前記指示情報、前記ＬＢＴタイプ、及び前記１つ前のサブフレームの構成についてジョイント解釈する必要がある。
【００４６】
より具体的には、下の表１によれば、前記指示情報が第１シンボルを示す場合に、前記開始送信タイミングは第１シンボルであると特定することができる。前記指示情報が第０シンボルを示し、前記ＬＢＴタイプが第２タイプＬＢＴであり、かつ前記１つ前のサブフレームの構成が完全な上りリンクサブフレーム又は完全な下りリンク特殊サブフレームである場合に、前記開始送信タイミングは第０シンボルから所定値を経た後のタイミングであると特定することができる。前記指示情報が第０シンボルを示し、前記ＬＢＴタイプが第２タイプＬＢＴであり、かつ前記１つ前のサブフレームの構成が完全な下りリンクサブフレームである場合に、前記開始送信タイミングは第０シンボルから所定値とＴＡ値を経た後のタイミングであると特定することができる。また、前記指示情報が第０シンボルを示し、かつ前記１つ前のサブフレームの構成が最後のシンボルがブランクである上りリンクサブフレーム、最後のシンボルがブランクである下りリンク特殊サブフレーム、又は最後のシンボルがブランクである下りリンクサブフレームである場合に、前記開始送信タイミングは第０シンボルであると特定することができる。
【表１】
2019528002.tif 000003
【００４７】
なお、上に示す表１において、記号「−」は、この項目を考慮しないことを意味する。例えば、表１の１行目は、指示情報が「第１シンボル」である場合に、ＬＢＴタイプ及び１つ前のサブフレームの構成に係らずに、開始送信タイミングを、「第１シンボル」として特定する。この点は、後述の表にも適用される。
【００４８】
具体的には、図３Ａ〜３Ｈは、各場合における開始送信タイミングを示す。図３Ａ〜３Ｈにおいて、斜線の陰で塗り潰したブロックは、上りリンクサブフレームを示し、縦線の陰で塗り潰したブロックは、下りリンクサブフレームを示す。
【００４９】
図３Ａに示すように、前記指示情報が第１シンボルを示す場合に、前記開始送信タイミングは第１シンボルであると特定することができる。
【００５０】
図３Ｂと図３Ｃの各々に示すように、前記指示情報が第０シンボルを示し、前記ＬＢＴタイプが第２タイプＬＢＴ（即ち、２５μｓに基づく）であり、かつ前記１つ前のサブフレームの構成が完全な上りリンク（ＵＬ）サブフレーム又は完全な下りリンク（ＤＬ）特殊クレームである場合に、前記開始送信タイミングは第０シンボルから所定値を経た後のタイミングであると特定することができる。
【００５１】
図３Ｄに示すように、前記１つ前のサブフレームにおいて前記ユーザ装置がスケジューリングされていない、又は前記１つ前のサブフレームがブランクサブフレームであるなどの場合において、ユーザ装置は、その構成を特定できない場合、上述したように、それを、完全な上りリンクサブフレームとしてデフォルトに特定する。よって、前記指示情報が第０シンボルを示し、前記ＬＢＴタイプが第２タイプＬＢＴである場合に、前記開始送信タイミングは第０シンボルから所定値を経た後のタイミングであると特定することができる。
【００５２】
図３Ｅに示すように、前記指示情報が第０シンボルを示し、前記ＬＢＴタイプが第２タイプＬＢＴであり、かつ前記１つ前のサブフレームの構成が完全な下りリンクサブフレームである場合に、前記開始送信タイミングは第０シンボルから所定値とＴＡ値を経た後のタイミングであると特定することができる。
【００５３】
また、図３Ｆ〜図３Ｈの各々に示すように、前記指示情報が第０シンボルを示し、かつ前記１つ前のサブフレームの構成が最後のシンボルがブランクである上りリンクサブフレーム（図３Ｆ）、最後のシンボルがブランクである下りリンク特殊サブフレーム（図３Ｇ）、又は最後のシンボルがブランクである下りリンクサブフレーム（図３Ｈ）である場合に、前記開始送信タイミングは第０シンボルであると特定することができる。
【００５４】
続いて、マルチサブフレームスケジューリングの場合について説明する。マルチサブフレームスケジューリングの第１の例において、前記指示情報は、第１シンボルと非第１シンボルのうちの１つを示すことに用いられることができる。
【００５５】
よって、互いに異なる４つのタイミングのうちから前記現サブフレームの開始送信タイミングを特定するために、ユーザ装置は、前記指示情報、前記ＬＢＴタイプ、及び前記１つ前のサブフレームの構成についてジョイント解釈する必要がある。
【００５６】
より具体的には、下の表２によれば、前記指示情報が第１シンボルを示す場合に、前記開始送信タイミングは第１シンボルであると特定することができる。前記指示情報が非第１シンボルを示し、前記ＬＢＴタイプが第２タイプＬＢＴであり、かつ前記１つ前のサブフレームの構成が完全な上りリンクサブフレーム又は完全な下りリンク特殊サブフレームである場合に、前記開始送信タイミングは第０シンボルから所定値を経た後のタイミングであると特定することができる。前記指示情報が非第１シンボルを示し、前記ＬＢＴタイプが第２タイプＬＢＴであり、かつ前記１つ前のサブフレームの構成が完全な下りリンクサブフレームである場合に、前記開始送信タイミングは第０シンボルから所定値とＴＡ値を経た後のタイミングであると特定することができる。また、前記指示情報が非第１シンボルを示し、かつ前記１つ前のサブフレームの構成が最後のシンボルがブランクである上りリンクサブフレーム、最後のシンボルがブランクである下りリンク特殊サブフレーム、又は最後のシンボルがブランクである下りリンクサブフレームである場合に、前記開始送信タイミングは第０シンボルであると特定することができる。
【表２】
2019528002.tif 000004
【００５７】
マルチサブフレームスケジューリングの第２の例において、前記指示情報は、第０シンボルと非第０シンボルのうちの１つを示すことに用いられることができる。
【００５８】
よって、互いに異なる４つのタイミングのうちから前記現サブフレームの開始送信タイミングを特定するために、同じように、ユーザ装置は、前記指示情報、前記ＬＢＴタイプ、及び前記１つ前のサブフレームの構成についてジョイント解釈する必要がある。
【００５９】
より具体的には、下の表３によれば、前記指示情報が第０シンボルを示す場合に、前記開始送信タイミングは第０シンボルであると特定する。前記指示情報が非第０シンボルを示し、前記ＬＢＴタイプが第２タイプＬＢＴであり、かつ前記１つ前のサブフレームの構成が完全な上りリンクサブフレーム又は完全な下りリンク特殊サブフレームである場合に、前記開始送信タイミングは第０シンボルから所定値を経た後のタイミングであると特定する。前記指示情報が非第０シンボルを示し、前記ＬＢＴタイプが第２タイプＬＢＴであり、かつ前記１つ前のサブフレームの構成が完全な下りリンクサブフレームである場合に、前記開始送信タイミングは第０シンボルから所定値とＴＡ値を経た後のタイミングであると特定する。前記指示情報が非第０シンボルを示し、かつ前記ＬＢＴタイプが第４タイプＬＢＴである場合に、前記開始送信タイミングは第１シンボルであると特定する。
【表３】
2019528002.tif 000005
【００６０】
以上、表１〜表３を参照しながら前記指示情報が１ビットの情報である場合を説明した。以下、前記指示情報が少なくとも２ビットの情報である場合を説明する。
【００６１】
かかる場合、単一サブフレームスケジューリングについて、指示情報に２ビットが含まれているため、４種類のタイミング（例えば、００は開始送信タイミングが第０シンボルであることを指示し、０１は開始送信タイミングが第０シンボルから所定値を経た後のタイミングであることを指示し、１０は開始送信タイミングが第０シンボルから所定値とＴＡ値を経た後のタイミングであることを指示し、１１は開始送信タイミングが第１シンボルであることを指示する）を指示することができる。したがって、前記指示情報そのものだけで、前記ＰＵＳＣＨ伝送の開始送信タイミングを特定することができる。マルチサブフレームスケジューリングについて、複数のスケジューリングされたサブフレームのうちの最初のスケジューリングされたサブフレームを指示することを採用する場合、同じように、前記指示情報そのものだけで、前記ＰＵＳＣＨ伝送の開始送信タイミングを特定することができる。しかし、マルチサブフレームスケジューリングについて、上記の２ビットの指示情報があっても、複数のスケジューリングされたサブフレームのうちの１つ又は複数を指示するオプションを採用する場合において、２ビットでジョイント指示するサブオプション、ビットマップのサブオプション、又は１＋ｘビットで指示するサブオプションのどれを採用するに係らず、１つ又は複数のスケジューリングされたサブフレームにとっては、４種類のタイミングを徹底的に区別することができないという問題が存在する。かかる場合、同じように、上述した図２と図３を通じてＰＵＳＣＨ伝送の開始送信タイミングを特定することができることは、当業者が分かるであろう。
【００６２】
以上、図２と図３を参照しながら、本開示の第１実施例に係る物理上りリンク共有チャネルに用いられるサブフレームの開始送信タイミングを特定するための方法を説明した。
【００６３】
以下、図４を参照しながら本開示の第１実施例に係るユーザ装置を説明する。当該ユーザ装置は、図２と図３を参照しながら説明した上記物理上りリンク共有チャネルに用いられるサブフレームの開始送信タイミングを特定する方法を実行することができる。
【００６４】
図４に示すように、ユーザ装置４００は、受信部４１０と、サブフレーム構成特定部４２０と、送信タイミング特定部４３０とを含む。なお、図４は、ユーザ装置４００における、本開示の実施例に緊密に関係する部のみ示しており、これはただ説明的なものである。必要に応じて、ユーザ装置は、他の部を含むことができる。
【００６５】
前記受信部４１０は、開始送信タイミングについての指示情報及びリッスンビフォートークＬＢＴタイプを備える下りリンク制御情報を基地局から受信するように構成される。
【００６６】
前記サブフレーム構成特定部４２０は、現サブフレームの１つ前のサブフレームの構成を特定するように構成される。
【００６７】
前記送信タイミング特定部４３０は、前記指示情報、前記ＬＢＴタイプ、及び前記１つ前のサブフレームの構成に基づいて、互いに異なる４つのタイミングのうちから前記現サブフレームの開始送信タイミングを特定するように構成される。
【００６８】
具体的には、一つの実施例において、前記サブフレーム構成特定部４２０は、前記１つ前のサブフレームにおいて前記ユーザ装置がスケジューリングされていない場合に、又は前記１つ前のサブフレームがブランクサブフレームである場合に、又は前記１つ前のサブフレームにおいて同じ上りリンクグラントで前記ユーザ装置をスケジューリングする場合に、前記１つ前のサブフレームを、完全な上りリンクサブフレームとして特定するように構成される。
【００６９】
他の実施例において、前記指示情報は、第１シンボルと第０シンボルのうちの１つを示すことに用いられ、又は前記指示情報は、第１シンボルと非第１シンボルのうちの１つを示すことに用いられ、又は前記指示情報は、第０シンボルと非第０シンボルのうちの１つを示すことに用いられる。
【００７０】
他の実施例において、前記指示情報は、第１シンボルと第０シンボルのうちの１つを示すことに用いられ、又は前記指示情報は、第１シンボルと非第１シンボルのうちの１つを示すことに用いられる。前記ＬＢＴタイプは、第２タイプＬＢＴと第４タイプＬＢＴのうちの１つである。前記１つ前のサブフレームの構成は、完全な上りリンクサブフレーム、完全な下りリンク特殊サブフレーム、完全な下りリンクサブフレーム、最後のシンボルがブランクである上りリンクサブフレーム、最後のシンボルがブランクである下りリンク特殊サブフレーム、及び、最後のシンボルがブランクである下りリンクサブフレームのうちの１つである。前記送信タイミング特定部４３０は、以下のように構成される。つまり、前記指示情報が第１シンボルを示す場合に、前記開始送信タイミングが第１シンボルであると特定する。前記指示情報が第０シンボル又は非第１シンボルを示し、前記ＬＢＴタイプが第２タイプＬＢＴであり、かつ前記１つ前のサブフレームの構成が完全な上りリンクサブフレーム又は完全な下りリンク特殊サブフレームである場合に、前記開始送信タイミングが第０シンボルから所定値を経た後のタイミングであると特定する。前記指示情報が第０シンボル又は非第１シンボルを示し、前記ＬＢＴタイプが第２タイプＬＢＴであり、かつ前記１つ前のサブフレームの構成が完全な下りリンクサブフレームである場合に、前記開始送信タイミングが第０シンボルから所定値とタイミングアドバンス値を経た後のタイミングであると特定する。前記指示情報が第０シンボル又は非第１シンボルを示し、かつ前記１つ前のサブフレームの構成が最後のシンボルがブランクである上りリンクサブフレーム、最後のシンボルがブランクである下りリンク特殊サブフレーム、又は最後のシンボルがブランクである下りリンクサブフレームである場合に、前記開始送信タイミングが第０シンボルであると特定する。
【００７１】
他の実施例において、前記指示情報は、第０シンボルと非第０シンボルのうちの１つを示すことに用いられる。前記ＬＢＴタイプは、第２タイプＬＢＴと第４タイプＬＢＴのうちの１つである。前記１つ前のサブフレームの構成は、完全な上りリンクサブフレーム、完全な下りリンク特殊サブフレーム、完全な下りリンクサブフレーム、最後のシンボルがブランクである上りリンクサブフレーム、最後のシンボルがブランクである下りリンク特殊サブフレーム、及び最後のシンボルがブランクである下りリンクサブフレームのうちの１つである。前記送信タイミング特定部４３０は、以下のように構成される。前記指示情報が第０シンボルを示す場合に、前記開始送信タイミングが第０シンボルであると特定する。前記指示情報が非第０シンボルを示し、前記ＬＢＴタイプが第２タイプＬＢＴであり、かつ前記１つ前のサブフレームの構成が完全な上りリンクサブフレーム又は完全な下りリンク特殊サブフレームである場合に、前記開始送信タイミングが第０シンボルから所定値を経た後のタイミングであると特定する。前記指示情報が非第０シンボルを示し、前記ＬＢＴタイプが第２タイプＬＢＴであり、かつ前記１つ前のサブフレームの構成が完全な下りリンクサブフレームである場合に、前記開始送信タイミングが第０シンボルから所定値とタイミングアドバンス値を経た後のタイミングであると特定する。前記指示情報が非第０シンボルを示し、かつ前記ＬＢＴタイプが第４タイプＬＢＴである場合に、前記開始送信タイミングが第１シンボルであると特定する。
【００７２】
本開示の第１実施例に係るユーザ装置の各部の具体的な設定と動作は、既に上記の図２と図３を参照しながら述べた方法において詳しく説明したので、ここでは省略する。
【００７３】
また、ここで示されていないが、当業者なら、本開示の第１実施例に係るユーザ装置においてＰＵＳＣＨサブフレームに用いられる開始送信タイミングを特定する方法に対応して、本開示の第１実施例に係る基地局においてＰＵＳＣＨサブフレームに用いられる開始送信タイミングを指示する方法は、開始送信タイミングについての指示情報及びリッスンビフォートークＬＢＴタイプを備える下りリンク制御情報を生成するステップと、前記下りリンク制御情報をユーザ装置に送信するステップとを含み、前記指示情報と前記ＬＢＴタイプは、前記ユーザ装置によって特定された現サブフレームの１つ前のサブフレームの構成とジョイントすることで、前記ユーザ装置が、互いに異なる４つのタイミングのうちから前記現サブフレームの開始送信タイミングを特定することに用いられることを、理解できるだろう。
【００７４】
また、ここで示されていないが、当業者なら、本開示の第１実施例に係るユーザ装置に対応して、本開示の第１実施例に係る基地局は、例えば、開始送信タイミングについての指示情報及びリッスンビフォートークＬＢＴタイプを備える下りリンク制御情報を生成するように構成される生成部と、前記下りリンク制御情報をユーザ装置に送信するように構成される送信部とを含み、前記指示情報と前記ＬＢＴタイプは、前記ユーザ装置によって特定された現サブフレームの１つ前のサブフレームの構成とジョイントすることで、前記ユーザ装置が、互いに異なる４つのタイミングのうちから前記現サブフレームの開始送信タイミングを特定することに用いられることを理解できるだろう。
【００７５】
なお、上記の表１〜表３を参照しながら述べた指示情報、ＬＢＴタイプ、１つ前のサブフレームの構成と開始送信タイミングとの対応関係は、例えば、表など様々な方式で前記ユーザ装置と前記基地局に予め記憶されることができる。例えば、ハードコーディングのような方式で前記ユーザ装置と前記基地局に設置されることができる。代替として、動作手順においてハイヤレイヤシグナリングのような方式で前記ユーザ装置と前記基地局との間に前記対応関係を伝送することができる。よって、ユーザ装置と基地局との間には理解上のズレは存在しない。
【００７６】
以上、図２〜図４を参照しながら本開示の第１実施例に係るサブフレームの開始送信タイミングを特定・指示するための方法、ユーザ装置及び基地局を説明した。
【００７７】
本開示の第１実施例のサブフレームの開始送信タイミングを特定・指示するための方法、ユーザ装置及び基地局において、指示情報、ＬＢＴタイプ及び１つ前のサブフレームの構成を用いることで、ＰＵＳＣＨ伝送に用いられる現サブフレームの開始送信タイミングを特定することができる。よって、前記指示情報が、自身のみで各利用可能なタイミングを指示することができなくても、ＬＢＴタイプ及び１つ前のサブフレームの構成とジョイント解釈することで、２種類よりも多く（例えば、４種類）の送信タイミングのうちから現サブフレームの開始送信タイミングを特定することができる。
【００７８】
また、前記指示情報が、単一サブフレームスケジューリングの場合において各利用可能なタイミングを指示することができるとしても、マルチサブフレームスケジューリングの場合に、少なくとも複数の利用可能なタイミングを区別することができないという可能性がある。本開示の第１実施例に係るサブフレームの開始送信タイミングを特定・指示するための方法、ユーザ装置及び基地局は、前記指示情報をＬＢＴタイプ及び１つ前のサブフレームの構成とジョイント解釈することで、マルチサブフレームスケジューリングの場合に区別できなかった複数の利用可能なタイミングを区別することができる。
【００７９】
以下、図５〜図８を参照しながら本開示の第２実施例に係るサブフレームの開始送信タイミングを特定・指示する方法、ユーザ装置及び基地局を説明する。これらは、図１に示すシステムに適用する。
【００８０】
まず、図５を参照しながらユーザ装置において物理上りリンク共有チャネルに用いられるサブフレームの開始送信タイミングを特定するための方法を説明する。
【００８１】
図５に示すように、まず、ステップＳ５１０において、基地局から下りリンク制御情報を受信する。具体的には、前記下りリンク制御情報は、開始送信タイミングに用いられる第１指示情報を備える。より具体的には、前記第１指示情報は、少なくとも２ビットを含む。言い換えれば、前記第１指示情報は、少なくとも４種類の互いに異なる送信タイミングを指示することができる。
【００８２】
続いて、ステップＳ５２０において、マルチサブフレームスケジューリングを行っており、かつ前記下りリンク制御情報が開始送信タイミングに用いられる第２指示情報をさらに含む場合、前記第２指示情報が前記現サブフレームの開始送信タイミングが第１タイミングではないことを指示するとき、第１指示情報に基づいて、前記第１タイミングと異なる第２タイミング、前記第３タイミング及び前記第４タイミングから前記現サブフレームの開始送信タイミングを特定する。
【００８３】
具体的には、マルチサブフレームスケジューリングの場合、上述したように、開始送信タイミングが複数のスケジューリングされたサブフレームのうちの最初にスケジューリングされたサブフレームのみに適用される第１オプション、及び、開始送信タイミングが複数のスケジューリングされたサブフレームのうちの１つ又は複数のスケジューリングされたサブフレームに適用される第２オプションがある。ステップＳ５２０の処理は、例えば、上述した第２オプションに対するものである。つまり、ステップＳ５２０の処理は、例えば、２ビットでジョイント指示する第１サブオプション、ビットマップを採用する第２サブオプション、又は１＋ｘビットで指示される第３サブオプションの場合に適用される。上述したサブオプションのいずれか一項の場合に、上記の少なくとも２ビットの第１指示情報に加えて、前記下りリンク制御情報は、開始送信タイミングに用いられる第２指示情報をさらに備える。例えば、第１サブオプションの場合に、前記第２指示情報は、第１シンボルにおいて開始する４種類の状態（全くない、全部ある、第１サブフレームのみにある、第１サブフレームと第３サブフレームにある）をジョイント指示するための２ビットを指すことができる。第２サブオプションの場合、前記第２指示情報は、前記ビットマップ情報を指すことができる。第３サブオプションの場合、前記第２指示情報は、前記１＋ｘビットの情報を指すことができる。
【００８４】
また、第１の例において、第１シンボルであるか否かに基づいて、４つのタイミングを分類することができる。具体的には、前記第１タイミングは、第１シンボルであってもよい。前記第２タイミング、前記第３タイミング及び前記第４タイミングはそれぞれ、第０シンボル、第０シンボルから所定値を経た後のタイミング、及び第０シンボルから前記所定値とタイミングアドバンス値を経た後のタイミングのうちの１つであってもよい。前記所定値は、例えば、２５μｓであってもよい。
【００８５】
よって、ステップＳ５２０において、第１の例において、前記現サブフレームの開始送信タイミングが第１シンボルでないと前記第２指示情報が指示する場合に、第１指示情報に基づいて、第０シンボル、第０シンボルから所定値を経た後のタイミング、及び第０シンボルから前記所定値とタイミングアドバンス値を経た後のタイミングのうちから、前記現サブフレームの開始送信タイミングを特定することができる。
【００８６】
第２の例において、ギャップがあるか否かに基づいて４つのタイミングを分類できる。具体的には、前記第１タイミングは、第０シンボル（即ち、ギャップがない）であってもよい。前記第２タイミング、前記第３タイミング及び前記第４タイミングはそれぞれ、第１シンボル、第０シンボルから所定値を経た後のタイミング、及び第０シンボルから前記所定値とタイミングアドバンスを経た後のタイミングのうちの１つであってもよい。前記所定値は、例えば、２５μｓであってもよい。よって、前記現サブフレームの開始送信タイミングが第０シンボルでないと前記第２指示情報が指示する場合に、第１指示情報に基づいて、第１シンボル、第０シンボルから所定値を経た後のタイミング、及び第０シンボルから前記所定値とタイミングアドバンスを経た後のタイミングのうちから、前記現サブフレームの開始送信タイミングを特定することができる。
【００８７】
例えば、下記に示す表４に基づいて開始送信タイミングを特定することができる。ここで、上記の第１の例において、表４における「００」、「０１」、「１０」という３つの欄が適用されうる。上記の第２の例において、表４における「０１」、「１０」、「１１」という３つの欄が適用されうる。
【表４】
2019528002.tif 000006
【００８８】
なお、上記の表４に示す第１指示情報のビット値と開始送信タイミングとの対応関係は、ただ例に過ぎない。当業者は、前記第１指示情報を通じて少なくとも３つの互いに異なる開始送信タイミングを区別することさえできれば、必要に応じて前記対応関係を自由に設置することができる。
【００８９】
なお、以上は、第２オプションを適用するマルチサブフレームスケジューリングの場合における動作を示した。当業者は、単一サブフレームスケジューリングの場合に、又は第１オプションを適用するマルチサブフレームスケジューリングの場合に、他の個別の２ビットで４つの互いに異なる開始送信タイミングを指示することができることを理解できるだろう。代替として、前記第１指示情報における１ビットと他の個別の１ビットを多重することで４つの互いに異なる開始送信タイミングをジョイント指示することができる。代替として、前記第１指示情報の２ビットの全てを多重することで４つの互いに異なる開始送信タイミングを指示することができる。
【００９０】
なお、上記の表４を参照しながら述べた第１指示情報と開始送信タイミングとの対応関係は、例えば、表など様々な形で前記ユーザ装置と前記基地局に予め記憶されることができる。例えば、ハードコーディングのような方式で前記ユーザ装置と前記基地局に設置されることができる。代替として、動作手順においてハイヤレイヤシグナリングのような方式で前記ユーザ装置と前記基地局との間に前記対応関係を伝送することができる。よって、ユーザ装置と基地局との間に理解上のズレは存在しない。
【００９１】
以下、図６を参照しながら本開示の第１実施例に係るユーザ装置を説明する。当該ユーザ装置は、図５を参照しながら述べた上記の物理上りリンク共有チャネルに用いられるサブフレームの開始送信タイミングを特定する方法を実行することができる。
【００９２】
図６に示すように、ユーザ装置６００は、受信部６１０と送信タイミング特定部６２０を含む。なお、図６は、ユーザ装置６００における、本開示の第２実施例に緊密に関係する部のみ示し、これがただ説明的なものであり、必要に応じて、ユーザ装置６００は、他の部を含むことができる。
【００９３】
前記受信部６１０は、開始送信タイミングに用いられる、少なくとも２ビットを含む第１指示情報を備える下りリンク制御情報を基地局から受信するように構成される。
【００９４】
前記送信タイミング特定部６２０は、マルチサブフレームスケジューリングを行っており、かつ開始送信タイミングに用いられる第２指示情報が更に前記下りリンク制御情報に含まれる場合において、前記現サブフレームの開始送信タイミングが第１タイミングでないと第２指示情報が指示する場合に、第１指示情報に基づいて、前記第１タイミングと異なる第２タイミング、第３タイミング及び第４タイミングのうちから前記現サブフレームの開始送信タイミングを特定する。
【００９５】
一実施例において、前記第１タイミングは第１シンボルであり、前記第２タイミング、前記第３タイミング及び前記第４タイミングはそれぞれ、第０シンボル、第０シンボルから所定値を経た後のタイミング、及び第０シンボルから前記所定値とタイミングアドバンス値を経た後のタイミングのうちの１つである。または、前記第１タイミングは第０シンボルであり、前記第２タイミング、前記第３タイミング及び前記第４タイミングはそれぞれ、第１シンボル、第０シンボルから所定値を経た後のタイミング、及び第０シンボルから前記所定値とタイミングアドバンス値を経た後のタイミングのうちの１つである。
【００９６】
前記ユーザ装置６００の各部の具体的な設定と動作は既に、図５を参照する方法において詳しく説明したので、ここでは省略する。
【００９７】
以下、図７を参照しながら基地局において物理上りリンク共有チャネルに用いられるサブフレームの開始送信タイミングを指示するための方法を説明する。
【００９８】
図７に示すように、まず、ステップＳ７１０において、下りリンク制御情報を生成する。具体的には、前記下りリンク制御情報は、開始送信タイミングに用いられる第１指示情報を備えており、前記第１指示情報が、少なくとも２ビットを含む。
【００９９】
より具体的には、前記第１指示情報は、マルチサブフレームスケジューリングを行っており、かつ開始送信タイミングに用いられる第２指示情報が更に前記下りリンク制御情報に含まれている場合において、前記ユーザ装置の現サブフレームの開始送信タイミングが第１タイミングでないと第２指示情報が指示する場合に、前記第１タイミングと異なる第２タイミング、第３タイミング及び第４タイミングのうちから前記現サブフレームの開始送信タイミングを指示する。
【０１００】
また、前記第１指示情報は、単一サブフレームスケジューリングを行う場合に、又はマルチサブフレームスケジューリングを行っており、かつ前記第２指示情報が前記下りリンク制御情報に含まれていない場合に、前記第１タイミング、前記第２タイミング、前記第３タイミング及び前記第４タイミングのうちから、前記現サブフレームの開始送信タイミングを指示することに用いられることができる。前記第１指示情報の意味、構成及び作用は既に上記の図５を参照する方法において詳しく説明したので、ここでは省略する。
【０１０１】
続いて、ステップＳ７２０において、前記下りリンク制御情報をユーザ装置に送信する。
【０１０２】
以上、図７を参照しながら本開示の第２実施例に係る、基地局において物理上りリンク共有チャネルに用いられるサブフレームの開始送信タイミングを指示するための方法を説明した。
【０１０３】
以下、図８を参照しながら本開示の第２実施例に係る基地局を説明する。本開示の第２実施例に係る基地局は同様に、図１に示すようなシステムに適用され、図７を参照しながら説明した上記物理上りリンク共有チャネルに用いられるサブフレームの開始送信タイミングを指示する方法を実行することができる。
【０１０４】
図８に示すように、基地局８００は、生成部８１０と送信部８２０を含む。なお、図８は、ユーザ装置８００における、本開示の第２実施例に緊密に関係する部のみ示し、これはただ説明的なものであり、必要に応じて、ユーザ装置８００は、他の部を含むことができる。
【０１０５】
前記生成部８１０は、下りリンク制御情報を生成するように構成される。前記下りリンク制御情報は、開始送信タイミングに用いられる第１指示情報を備える。前記第１指示情報は、少なくとも２ビットを含む。
【０１０６】
前記送信部８２０は、前記下りリンク制御情報をユーザ装置に送信するように構成される。
【０１０７】
前記第１指示情報は、マルチサブフレームスケジューリングを行っており、かつ開始送信タイミングに用いられる第２指示情報が更に前記下りリンク制御情報に含まれる場合において、前記ユーザ装置の現サブフレームの開始送信タイミングが第１タイミングでないと第２指示情報が指示する場合に、前記第１タイミングと異なる第２タイミング、第３タイミング及び第４タイミングのうちから、前記現サブフレームの開始送信タイミングを指示することに用いられることができる。
【０１０８】
また、前記第１指示情報はさらに、単一サブフレームスケジューリングを行う場合に、又は、マルチサブフレームスケジューリングを行っており、かつ前記第２指示情報が前記下りリンク制御情報に含まれていない場合に、前記第１タイミング、前記第２タイミング、前記第３タイミング及び前記第４タイミングのうちから、前記現サブフレームの開始送信タイミングを指示することに用いられることができる。
【０１０９】
前記基地局８００の各部の設定と動作は、上記の図７を参照しながら述べた方法において詳しく説明したので、ここでは省略する。
【０１１０】
本開示の第２実施例のサブフレームの開始送信タイミングを特定・指示するための方法、ユーザ装置及び基地局において、少なくとも２ビットの指示情報を用いることで、ＰＵＳＣＨ伝送に用いられる現サブフレームの開始送信タイミングを指示・特定することができる。よって、マルチサブフレームスケジューリングの場合において区別できない可能性のある、少なくとも３つの利用可能なタイミングを区別することができる。
【０１１１】
なお、本明細書において、用語「含む」、「備える」又はその他の変形は、非排他的な包含をカバーすることを意図する。よって、一連の要素を含む手順、方法、品物、又は装置は、それらの要素を含む以外に、明確に列挙されていない他の要素、又はこのような手順、方法、品物又は装置固有の要素をさらに含むようになる。更なる制限がない場合、文章「１つの……を含む」で限定された要素は、前記要素を含む手順、方法、品物、又は装置における他の同じ要素の存在を除外するものではない。
【０１１２】
なお、本明細書において、「第１」、「第２」などのような記載は、ただ説明の便宜のためのものであり、その限定された部が必ずしも複数の部に分けられていることを意味するものではなく、その限定されたステップに時間上の前後順序があることを意味するものでもない。
【０１１３】
最後に、さらに説明したいのは、上記の一連の処理は、ここで述べた順序で時間順に従って実行された処理のみならず、並行的又は別々に、時間順に従わずに実行された処理も含む。
【０１１４】
以上の実施方式の説明により、本開示がソフトウェア＋必須のハードウェアプラットフォームの方式によって実現されうるし、全部ハードウェアで実施されうることが当業者には明確に理解されるであろう。このような理解に基づいて、本開示の技術案の背景技術に対する貢献の全て又は一部は、ハードウェア製品の形で表すことができる。当該コンピュータソフトウェア製品は、例えば、ＲＯＭ／ＲＡＭ、ディスク、光ディスクなどの記憶媒体に記憶されることができ、いくつかの指令を含むことで、１つのコンピュータ装置（パーソナルコンピュータ、サーバー、又はネットワーク装置などであってもよい）は本開示の各実施例又は実施例の何らかの部分に記載された方法を実行することができる。
【０１１５】
以上、本開示について詳しく紹介したが、本明細書において具体例を応用して本開示の原理及び実施方式を述べたが、以上の実施例の説明はただ本開示の方法及びそのコア思想に対する理解を促進するためのものである。また、当業者は、本開示の思想に基づいて、具体的な実施例及び応用範囲について変更を行うことができる。以上をまとめると、本明細書の内容は、本開示を限定するものと解釈すべきではない。
【図１】
2019528002.tif 000007
【図２】
2019528002.tif 000008
【図３Ａ】
2019528002.tif 000009
【図３Ｂ】
2019528002.tif 000010
【図３Ｃ】
2019528002.tif 000011
【図３Ｄ】
2019528002.tif 000012
【図３Ｅ】
2019528002.tif 000013
【図３Ｆ】
2019528002.tif 000014
【図３Ｇ】
2019528002.tif 000015
【図３Ｈ】
2019528002.tif 000016
【図４】
2019528002.tif 000017
【図５】
2019528002.tif 000018
【図６】
2019528002.tif 000019
【図７】
2019528002.tif 000020
【図８】
2019528002.tif 000021
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
物理上りリンク共有チャネルに用いられるサブフレームの開始送信タイミングを特定するためのユーザ装置であって、
開始送信タイミングについての指示情報、及びリッスンビフォートークＬＢＴタイプを備える下りリンク制御情報を基地局から受信するように構成される受信部と、
現サブフレームの１つ前のサブフレームの構成を特定するように構成されるサブフレーム構成特定部と、
前記指示情報、前記ＬＢＴタイプ、及び前記１つ前のサブフレームの構成に基づいて、互いに異なる４つのタイミングのうちから前記現サブフレームの開始送信タイミングを特定するように構成される送信タイミング特定部と、
を含むユーザ装置。
【請求項２】
前記サブフレーム構成特定部は、
前記１つ前のサブフレームにおいて前記ユーザ装置がスケジューリングされていない場合に、又は前記１つ前のサブフレームがブランクサブフレームである場合に、又は前記１つ前のサブフレームにおいて同じ上りリンクグラントで前記ユーザ装置がスケジューリングされる場合に、前記１つ前のサブフレームを、完全な上りリンクサブフレームとして特定するように構成される請求項１に記載のユーザ装置。
【請求項３】
前記指示情報は、第１シンボルと第０シンボルのうちの１つを示すことに用いられ、又は、前記指示情報は、第１シンボルと非第１シンボルのうちの１つを示すことに用いられ、又は、前記指示情報は、第０シンボルと非第０シンボルのうちの１つを示すことに用いられる請求項１に記載のユーザ装置。
【請求項４】
前記指示情報は、第１シンボルと第０シンボルのうちの１つを示すことに用いられ、又は前記指示情報は、第１シンボルと非第１シンボルのうちの１つを示すことに用いられ、
前記ＬＢＴタイプは、第２タイプＬＢＴと第４タイプＬＢＴのうちの１つであり、
前記１つ前のサブフレームの構成は、完全な上りリンクサブフレーム、完全な下りリンク特殊サブフレーム、完全な下りリンクサブフレーム、最後のシンボルがブランクである上りリンクサブフレーム、最後のシンボルがブランクである下りリンク特殊サブフレーム、及び、最後のシンボルがブランクである下りリンクサブフレームのうちの１つであり、
前記送信タイミング特定部は、
前記指示情報が第１シンボルを示す場合に、前記開始送信タイミングが第１シンボルであると特定し、
前記指示情報が第０シンボル又は非第１シンボルを示し、前記ＬＢＴタイプが第２タイプＬＢＴであり、かつ前記１つ前のサブフレームの構成が完全な上りリンクサブフレーム又は完全な下りリンク特殊サブフレームである場合に、前記開始送信タイミングが第０シンボルから所定値を経た後のタイミングであると特定し、
前記指示情報が第０シンボル又は非第１シンボルを示し、前記ＬＢＴタイプが第２タイプＬＢＴであり、かつ前記１つ前のサブフレームの構成が完全な下りリンクサブフレームである場合に、前記開始送信タイミングが第０シンボルから所定値とタイミングアドバンス値を経た後のタイミングであると特定し、
前記指示情報が第０シンボル又は非第１シンボルを示し、かつ前記１つ前のサブフレームの構成が最後のシンボルがブランクである上りリンクサブフレーム、最後のシンボルがブランクである下りリンク特殊サブフレーム又は最後のシンボルがブランクである下りリンクサブフレームである場合に、前記開始送信タイミングが第０シンボルであると特定するように構成される請求項３に記載のユーザ装置。
【請求項５】
前記指示情報は、第０シンボルと非第０シンボルのうちの１つを示すことに用いられ、
前記ＬＢＴタイプは、第２タイプＬＢＴと第４タイプＬＢＴのうちの１つであり、
前記１つ前のサブフレームの構成は、完全な上りリンクサブフレーム、完全な下りリンク特殊サブフレーム、完全な下りリンクサブフレーム、最後のシンボルがブランクである上りリンクサブフレーム、最後のシンボルがブランクである下りリンク特殊サブフレーム、及び、最後のシンボルがブランクである下りリンクサブフレームのうちの１つであり、
前記送信タイミング特定部は、
前記指示情報が第０シンボルを示す場合に、前記開始送信タイミングが第０シンボルであると特定し、
前記指示情報が非第０シンボルを示し、前記ＬＢＴタイプが第２タイプＬＢＴであり、かつ前記１つ前のサブフレームの構成が完全な上りリンクサブフレーム又は完全な下りリンク特殊サブフレームである場合に、前記開始送信タイミングが第０シンボルから所定値を経た後のタイミングであると特定し、
前記指示情報が非第０シンボルを示し、前記ＬＢＴタイプが第２タイプＬＢＴであり、かつ前記１つ前のサブフレームの構成が完全な下りリンクサブフレームである場合に、前記開始送信タイミングが第０シンボルから所定値とタイミングアドバンス値を経た後のタイミングであると特定し、
前記指示情報が非第０シンボルを示し、かつ前記ＬＢＴタイプが第４タイプＬＢＴである場合に、前記開始送信タイミングが第１シンボルであると特定するように構成される請求項３に記載のユーザ装置。
【請求項６】
ユーザ装置において物理上りリンク共有チャネルに用いられるサブフレームの開始送信タイミングを特定するための方法であって、
開始送信タイミングについての指示情報、及びリッスンビフォートークＬＢＴタイプを備える下りリンク制御情報を基地局から受信するステップと、
現サブフレームの１つ前のサブフレームの構成を特定するステップと、
前記指示情報、前記ＬＢＴタイプ、及び前記１つ前のサブフレームの構成に基づいて、互いに異なる４つのタイミングのうちから前記現サブフレームの開始送信タイミングを特定するステップと、を含む方法。
【請求項７】
前記現サブフレームの１つ前のサブフレームの構成を特定するステップは、
前記１つ前のサブフレームにおいて前記ユーザ装置がスケジューリングされていない場合に、又は前記１つ前のサブフレームがブランクサブフレームである場合に、又は前記１つ前のサブフレームにおいて同じ上りリンクグラントで前記ユーザ装置がスケジューリングされる場合に、前記１つ前のサブフレームを完全な上りリンクサブフレームとして特定するステップを含む請求項６に記載の方法。
【請求項８】
前記指示情報は、第１シンボルと第０シンボルのうちの１つを示すことに用いられ、又は、前記指示情報は、第１シンボルと非第１シンボルのうちの１つを示すことに用いられ、又は、前記指示情報は、第０シンボルと非第０シンボルのうちの１つを示すことに用いられる請求項６に記載の方法。
【請求項９】
物理上りリンク共有チャネルに用いられるサブフレームの開始送信タイミングを特定するためのユーザ装置であって、
開始送信タイミングに用いられる、少なくとも２ビットを含む第１指示情報を備える下りリンク制御情報を基地局から受信するように構成される受信部と、
マルチサブフレームスケジューリングを行っており、かつ開始送信タイミングに用いられる第２指示情報が更に前記下りリンク制御情報に含まれる場合において、前記現サブフレームの開始送信タイミングが第１タイミングでないと前記第２指示情報が指示する場合に、第１指示情報に基づいて、前記第１タイミングと異なる第２タイミング、第３タイミング及び第４タイミングのうちから、前記現サブフレームの開始送信タイミングを特定するように構成される送信タイミング特定部と、
を含むユーザ装置。
【請求項１０】
前記第１タイミングは、第１シンボルであり、前記第２タイミング、前記第３タイミング及び前記第４タイミングはそれぞれ、第０シンボル、第０シンボルから所定値を経た後のタイミング、及び第０シンボルから前記所定値とタイミングアドバンス値を経た後のタイミングのうちの１つであり、又は、前記第１タイミングは第０シンボルであり、前記第２タイミング、前記第３タイミング及び前記第４タイミングはそれぞれ、第１シンボル、第０シンボルから所定値を経た後のタイミング、及び第０シンボルから前記所定値とタイミングアドバンス値を経た後のタイミングのうちの１つである請求項９に記載のユーザ装置。
【請求項１１】
ユーザ装置において物理上りリンク共有チャネルに用いられるサブフレームの開始送信タイミングを特定するための方法であって、
開始送信タイミングに用いられる、少なくとも２ビットを含む第１指示情報を備える下りリンク制御情報を基地局から受信するステップと、
マルチサブフレームスケジューリングを行っており、かつ開始送信タイミングに用いられる第２指示情報が更に前記下りリンク制御情報に含まれる場合において、前記現サブフレームの開始送信タイミングが第１タイミングでないと前記第２指示情報が指示する場合に、第１指示情報に基づいて、前記第１タイミングと異なる第２タイミング、第３タイミング及び第４タイミングのうちから、前記現サブフレームの開始送信タイミングを特定するステップと、
を含む方法。
【請求項１２】
前記第１タイミングは第１シンボルであり、前記第２タイミング、前記第３タイミング及び前記第４タイミングはそれぞれ、第０シンボル、第０シンボルから所定値を経た後のタイミング、及び第０シンボルから前記所定値とタイミングアドバンス値を経た後のタイミングのうちの１つであり、又は、前記第１タイミングは第０シンボルであり、前記第２タイミング、前記第３タイミング及び前記第４タイミングはそれぞれ、第１シンボル、第０シンボルから所定値を経た後のタイミング、及び第０シンボルから前記所定値とタイミングアドバンス値を経た後のタイミングのうちの１つである請求項１１に記載の方法。
【請求項１３】
物理上りリンク共有チャネルに用いられるサブフレームの開始送信タイミングを指示するための基地局であって、
開始送信タイミングに用いられる、少なくとも２ビットを含む第１指示情報を備える下りリンク制御情報を生成するように構成される生成部と、
前記下りリンク制御情報をユーザ装置に送信するように構成される送信部と、を含み、
前記第１指示情報は、マルチサブフレームスケジューリングを行っており、かつ開始送信タイミングに用いられる第２指示情報が更に前記下りリンク制御情報に含まれる場合において、前記ユーザ装置の現サブフレームの開始送信タイミングが第１タイミングでないと第２指示情報が指示する場合に、前記第１タイミングと異なる第２タイミング、第３タイミング及び第４タイミングのうちから、前記現サブフレームの開始送信タイミングを指示することに用いられ、或いは、前記第１指示情報は、単一サブフレームスケジューリングを行っている場合に、又はマルチサブフレームスケジューリングを行っており、かつ前記第２指示情報が前記下りリンク制御情報に含まれていない場合に、前記第１タイミング、前記第２タイミング、前記第３タイミング及び前記第４タイミングのうちから、前記現サブフレームの開始送信タイミングを指示することに用いられる基地局。
【請求項１４】
基地局において物理上りリンク共有チャネルに用いられるサブフレームの開始送信タイミングを指示するための方法であって、
開始送信タイミングに用いられる、少なくとも２ビットを含む第１指示情報を備える下りリンク制御情報を生成するステップと、
前記下りリンク制御情報をユーザ装置に送信するステップと、を含み、
前記第１指示情報は、マルチサブフレームスケジューリングを行っており、かつ開始送信タイミングに用いられる第２指示情報が更に前記下りリンク制御情報に含まれる場合において、前記ユーザ装置の現サブフレームの開始送信タイミングが第１タイミングでないと第２指示情報が指示する場合に、前記第１タイミングと異なる第２タイミング、第３タイミング及び第４タイミングのうちから、前記現サブフレームの開始送信タイミングを指示することに用いられ、或いは、前記第１指示情報は、単一サブフレームスケジューリングを行っている場合に、又はマルチサブフレームスケジューリングを行っており、かつ前記第２指示情報が前記下りリンク制御情報に含まれていない場合に、前記第１タイミング、前記第２タイミング、前記第３タイミング及び前記第４タイミングのうちから、前記現サブフレームの開始送信タイミングを指示することに用いられる方法。
【国際調査報告】
2019528002.tif 000022
2019528002.tif 000023
2019528002.tif 000024
2019528002.tif 000025
2019528002.tif 000026
2019528002.tif 000027